(57)【要約】      （修正有）【課題】着用者ごとに異なる多様なニーズにより柔軟に応じることが可能な、ペンダントを提供する。【解決手段】チェーン部１１００が挿入されてペンダント１０００をネックレスとして形成する。ペンダント１０００は、チェーン部１１００と、輪部１２００と、リング部１３００と、コイン部１４００と、を備えている。チェーン部１１００は、両端で連結可能なチェーン状の部材で、輪部１２００は、チェーン部１１００を挿入可能な輪状の部材である。また、リング部１３００は、輪部１２００に可動に連結されたリング状の部材で、コイン部１４００は、輪部１２００に可動に連結されたコイン状の部材である。コイン部１４００はに、レーザ加工された写真データ図案が描かれている。【選択図】図１
0003168001.tif 000002
【実用新案登録請求の範囲】
【請求項１】
両端で連結可能なチェーン部と、
前記チェーン部を挿入可能な輪部と、
前記輪部に可動に連結されたリング部と、
前記輪部に可動に連結されたコイン部と、
を備えた、ペンダント。
【請求項２】
前記コイン部には、レーザ加工された写真データ図案が描かれている、請求項１記載のペンダント。
【請求項３】
前記輪部は、板状の細片が丸められた部材であって、
前記輪部の下端部の前記板状の幅は、前記輪部の中間部の前記板状の幅よりも狭くなっており、
前記コイン部は、前記中間部の前記幅よりも狭い内径をもつ小輪部を有し、前記小輪部で前記輪部に連結されている、請求項１記載のペンダント。
【考案の詳細な説明】
【技術分野】
【０００１】
本考案は、装身具などとして着用するためのペンダントに関するものである。
【背景技術】
【０００２】
ネックレス、指輪、ペンダントおよびイヤリングなどのいろいろな装身具は、いろいろな工夫がなされてますます多彩になってきている（たとえば、特許文献１参照）。
【０００３】
ネックレスは、首に着ける装身具であるが、首の飾りとしてのものだけではなく、肩凝り解消用ネックレスおよび開運用ネックレスなども、ある。
【０００４】
指輪は、指にはめる装身具であるが、指の飾りとしてのものだけではなく、クラブリング、記念リングおよびコーポレートリングなども、ある。
【０００５】
このように、多彩な装身具が、男女問わず親しまれており、多くの人々によって多様な場面で着用されている。
【先行技術文献】
【特許文献】
【０００６】
【特許文献１】特開２０１０−９９２８８号公報
【考案の概要】
【考案が解決しようとする課題】
【０００７】
ところで、装身具が、多くの人々によって多様な場面で着用されるようになるにともない、着用者の好みなどに応じて装身具をカスタマイズしたいというニーズが、高まってきている。
【０００８】
たとえば、着用者にとってオリジナルな写真などをもっと手軽に装身具にデザインしたいといったニーズが、生じている。
【０００９】
さらに、そのようなオリジナルな写真などをデザインした装身具を、ときには首に着けるネックレスとして利用したい、またはときには指にはめる指輪として利用したいといったニーズも、生じている。
【００１０】
しかしながら、このような着用者ごとに異なる多様なニーズに柔軟に応じることは、困難であった。
【００１１】
本考案は、上述した従来の課題を考慮し、着用者ごとに異なる多様なニーズにより柔軟に応じることが可能な、ペンダントを提供することを目的とする。
【課題を解決するための手段】
【００１２】
第１の本考案は、両端で連結可能なチェーン部と、
前記チェーン部を挿入可能な輪部と、
前記輪部に可動に連結されたリング部と、
前記輪部に可動に連結されたコイン部と、
を備えた、ペンダントである。
【００１３】
第２の本考案は、前記コイン部には、レーザ加工された写真データ図案が描かれている、第１の本考案のペンダントである。
【００１４】
第３の本考案は、前記輪部は、板状の細片が丸められた部材であって、
前記輪部の下端部の前記板状の幅は、前記輪部の中間部の前記板状の幅よりも狭くなっており、
前記コイン部は、前記中間部の前記幅よりも狭い内径をもつ小輪部を有し、前記小輪部で前記輪部に連結されている、第１の本考案のペンダントである。
【考案の効果】
【００１５】
本考案により、着用者ごとに異なる多様なニーズにより柔軟に応じることが可能な、ペンダントを提供することができる。
【図面の簡単な説明】
【００１６】
【図１】本考案にかかる実施の形態の、チェーン部が挿入されてペンダントがネックレスとして使用される際におけるペンダントの模式的な斜視図
【図２】本考案にかかる実施の形態の、チェーン部が挿入されないでペンダントが指輪として使用される際におけるペンダントの模式的な斜視図
【図３】本考案にかかる実施の形態のチェーン部の模式的な部分拡大斜視図
【図４】（Ａ）本考案にかかる実施の形態の輪部の模式的な拡大斜視図、（Ｂ）本考案にかかる実施の形態の輪部の模式的な拡大断面図
【図５】（Ａ）本考案にかかる実施の形態のリング部の模式的な拡大斜視図、（Ｂ）本考案にかかる実施の形態のリング部の模式的な拡大底面図
【図６】（Ａ）チェーン部が挿入されてペンダントがネックレスとして使用される際におけるコイン部の模式的な拡大斜視図、（Ｂ）本考案にかかる実施の形態の、チェーン部が挿入されないでペンダントが指輪として使用される際におけるコイン部の模式的な拡大斜視図
【図７】本考案にかかる実施の形態の、ペンダントにレーザ加工を行うためのレーザ加工システムのブロック図
【考案を実施するための形態】
【００１７】
以下、図面を参照しながら、本考案にかかる実施の形態について詳細に説明する。
【００１８】
（実施の形態）
図１および２を主として参照しながら、本実施の形態のペンダント１０００の構成について説明する。
【００１９】
なお、図１は、本考案にかかる実施の形態の、チェーン部１１００が挿入されてペンダント１０００がネックレスとして使用される際におけるペンダントの模式的な斜視図である。
【００２０】
また、図２は、本考案にかかる実施の形態の、チェーン部１１００が挿入されないでペンダント１０００が指輪として使用される際におけるペンダントの模式的な斜視図である。
【００２１】
ペンダント１０００は、チェーン部１１００と、輪部１２００と、リング部１３００と、コイン部１４００と、を備えている。
【００２２】
チェーン部１１００は、両端で連結可能なチェーン状の部材である。
【００２３】
輪部１２００は、チェーン部１１００を挿入可能な輪状の部材である。
【００２４】
リング部１３００は、輪部１２００に可動に連結されたリング状の部材である。
【００２５】
コイン部１４００は、輪部１２００に可動に連結されたコイン状の部材である。
【００２６】
具体的に後述されるように、コイン部１４００には、レーザ加工された写真データ図案が描かれている。
【００２７】
やはり具体的に後述されるように、輪部１２００は、板状の細片が丸められた部材であって、輪部１２００の下端部１２３０（図４（Ａ）参照）の板状の幅ｗ３（図４（Ａ）参照）は、輪部１２００の中間部１２２０（図４（Ａ）参照）の板状の幅ｗ２（図４（Ａ）参照）よりも狭くなっており、コイン部１４００は、中間部１２２０の幅ｗ２よりも狭い内径ｄ（図６（Ａ）および（Ｂ）参照）をもつ小輪部１４３１（図６（Ａ）および（Ｂ）参照）を有し、小輪部１４３１で輪部１２００に連結されている。
【００２８】
つぎに、図３〜６を主として参照しながら、チェーン部１１００、輪部１２００、リング部１３００、およびコイン部１４００のそれぞれの構成についてこの順でより具体的に説明する。
【００２９】
なお、図３は、本考案にかかる実施の形態のチェーン部１１００の模式的な部分拡大斜視図である。
【００３０】
また、図４（Ａ）は、本考案にかかる実施の形態の輪部１２００の模式的な拡大斜視図であり、図４（Ｂ）は、本考案にかかる実施の形態の輪部１２００の模式的なＡ−Ａ′拡大断面図である。
【００３１】
また、図５（Ａ）は、本考案にかかる実施の形態のリング部１３００の模式的な拡大斜視図であり、図５（Ｂ）は、本考案にかかる実施の形態のリング部１３００の模式的な拡大底面図である。
【００３２】
また、図６（Ａ）は、チェーン部１１００が挿入されてペンダント１０００がネックレスとして使用される際におけるコイン部１４００の模式的な拡大斜視図であり、図６（Ｂ）は、本考案にかかる実施の形態の、チェーン部１１００が挿入されないでペンダント１０００が指輪として使用される際におけるコイン部１４００の模式的な拡大斜視図である。
【００３３】
（１）チェーン部１１００の構成
はじめに、図３を主として参照しながら、チェーン部１１００の構成についてより具体的に説明する。
【００３４】
チェーン部１１００は、チェーン本体部１１１０と、第一の連結具１１２１と、第二の連結具１１２２と、を有する。
【００３５】
（１ａ）チェーン本体部１１１０の構成
チェーン本体部１１１０は、金属製のチェーン状部品である。
【００３６】
チェーン本体部１１１０は、その一端に、金属製の補助連結部材１１１１ａを介して第一の連結具１１２１と連結するための金属製の第一の連結部材１１１１を有する。
【００３７】
チェーン本体部１１１０は、その他端に、第二の連結具１１２２と連結するための金属製の第二の連結部材１１１２を有する。
【００３８】
（１ｂ）第一の連結具１１２１の構成
第一の連結具１１２１は、金属製の略中空なドーナツ状部品である。
【００３９】
第一の連結具１１２１は、第二の連結具１１２２と連結するための開閉自在な係脱用のスライダ１１２１ａを有する。
【００４０】
（１ｃ）第二の連結具１１２２の構成
第二の連結具１１２２は、金属製の小板状部品である。
【００４１】
第二の連結具１１２２は、第一の連結具１１２１と連結するための係脱用の孔１１２２ａを有する。
【００４２】
（２）輪部１２００の構成
つぎに、図４（Ａ）および（Ｂ）を主として参照しながら、輪部１２００の構成についてより具体的に説明する。
【００４３】
輪部１２００は、肉厚および幅が、上端部１２１０と、中間部１２２０と、下端部１２３０と、によって異なる金属製の筒状部品である。
【００４４】
もちろん、上端部１２１０と、中間部１２２０と、下端部１２３０と、は、ペンダント１０００がネックレスとして使用される際には、この順での位置的な上下関係を有する。
【００４５】
（２ａ）上端部１２１０の構成
上端部１２１０は、最も大きい肉厚ｔ１と、最も大きい幅ｗ１と、を有する部位である。
【００４６】
上端部１２１０は、ペンダント１０００がネックレスとして使用される際には、チェーン部１１００のチェーン本体部１１１０と係合し、ペンダント１０００が指輪として使用される際には、リング部１３００の上端部１３１０（図５（Ａ）および（Ｂ）参照）と係合する部位である。
【００４７】
（２ｂ）中間部１２２０の構成
中間部１２２０は、肉厚ｔ１とほぼ同じ肉厚ｔ２と、幅ｗ１とほぼ同じ幅ｗ２と、を有する部位である。
【００４８】
なお、上端部１２１０から中間部１２２０にかけての肉厚は、ｔ１からｔ２にほぼ単調に減少するように変化するが、大きくは変化しない。
【００４９】
また、上端部１２１０から中間部１２２０にかけての幅は、ほぼ単調に減少するように変化するが、大きくは変化しない。
【００５０】
中間部１２２０は、ペンダント１０００がネックレスとして使用される際には、リング部１３００の上端部１３１０（図５（Ａ）および（Ｂ）参照参照）と係合する部位である。
【００５１】
（２ｃ）下端部１２３０の構成
下端部１２３０は、最も小さい肉厚ｔ３と、最も小さい幅ｗ３と、を有する部位である。
【００５２】
なお、中間部１２２０から下端部１２３０にかけての肉厚は、ｔ２からｔ３に単調に減少するように変化するのではなく、やや増加してから減少するように変化する。
【００５３】
また、中間部１２２０から下端部１２３０にかけての幅は、ｗ２からｗ３にほぼ単調に減少するように変化する。
【００５４】
下端部１２３０は、ペンダント１０００がネックレスとして使用される際にも、ペンダント１０００が指輪として使用される際にも、コイン部１４００の小輪部１４３１（図６（Ａ）および（Ｂ）参照参照）と係合する部位である。
【００５５】
（３）リング部１３００の構成
つぎに、図５（Ａ）および（Ｂ）を主として参照しながら、リング部１３００の構成についてより具体的に説明する。
【００５６】
リング部１３００は、肉厚および幅が、上端部１３１０と、中間部１３２０と、下端部１３３０と、によって異なる金属製の筒状部品である。
【００５７】
もちろん、上端部１３１０と、中間部１３２０と、下端部１３３０と、は、ペンダント１０００がネックレスとして使用される際には、この順での位置的な上下関係を有する。
【００５８】
（３ａ）上端部１３１０の構成
上端部１３１０は、最も大きい肉厚Ｔ１と、最も大きい幅Ｗ１と、を有する部位である。
【００５９】
ただし、上端部１３１０は、その中間に、輪部１２００と連結するための極細の渡り部１３１１を有する。
【００６０】
すなわち、上端部１３１０は、ペンダント１０００がネックレスとして使用される際には、輪部１２００の中間部１２２０と渡り部１２１１で係合し、ペンダント１０００が指輪として使用される際には、輪部１２００の上端部１２１０と渡り部１２１１で係合する部位である。
【００６１】
（３ｂ）中間部１３２０の構成
中間部１３２０は、肉厚Ｔ１とほぼ同じ肉厚Ｔ２と、幅Ｗ１とほぼ同じ幅Ｗ２と、を有する部位である。
【００６２】
なお、上端部１３１０から中間部１３２０にかけての肉厚は、Ｔ１からＴ２にほぼ単調に減少するように変化するが、大きくは変化しない。
【００６３】
また、上端部１３１０から中間部１３２０にかけての幅は、Ｗ１からＷ２にほぼ単調に減少するように変化するが、大きくは変化しない。
【００６４】
（３ｃ）下端部１３３０の構成
下端部１３３０は、最も小さい肉厚Ｔ３と、最も小さい幅Ｗ３と、を有する部位である。
【００６５】
なお、中間部１３２０から下端部１３３０にかけての肉厚は、Ｔ２からＴ３にほぼ単調に減少するように変化する。
【００６６】
また、中間部１３２０から下端部１３３０にかけての幅は、Ｗ２からＷ３にほぼ単調に減少するように変化する。
【００６７】
（４）コイン部１４００の構成
つぎに、図６（Ａ）および（Ｂ）を主として参照しながら、コイン部１４００の構成についてより具体的に説明する。
【００６８】
コイン部１４００は、表面状態が、第一の底面部１４１０と、第二の底面部１４２０と、側面部１４３０と、によって異なる金属製の小円板状部品である。
【００６９】
（４ａ）第一の底面部１４１０の構成
第一の底面部１４１０は、ペンダント１０００がネックレスとして使用される際に視認しやすい表側になる、顔の写真が表面にレーザ加工された部位である。
【００７０】
なお、レーザ加工については、後に説明する。
【００７１】
（４ｂ）第二の底面部１４２０の構成
第二の底面部１４２０は、ペンダント１０００が指輪として使用される際に視認しやすい表側になる、「ＴＡＲＯ」の文字列が表面にレーザ加工された部位である。
【００７２】
なお、レーザ加工については、上述の通り後に説明する。
【００７３】
（４ｃ）側面部１４３０の構成
側面部１４３０は、表面が滑らかに加工された部位である。
【００７４】
そして、側面部１４３０は、輪部１２００と連結するための、内径ｄが輪部１２００の中間部１２２０の幅ｗ２よりも小さい小輪部１４３１を有する。
【００７５】
すなわち、側面部１４３０は、ペンダント１０００がネックレスとして使用される際にも、ペンダント１０００が指輪として使用される際にも、輪部１２００の下端部１２３０と小輪部１４３１で係合する部位である。
【００７６】
前述の肉厚（ｔ１〜ｔ３およびＴ１〜Ｔ３）および幅（ｗ１〜ｗ３およびＷ１〜Ｗ３）、ならび内径（ｄ）といった寸法が以上で説明されるように設けられているので、何れも輪部１２００に可動に連結された、リング部１３００と、コイン部１４００と、は、互いに干渉することなく、ペンダント１０００がネックレスとして使用されるのか指輪として使用されるのかに応じてスムーズに位置を変更できる。
【００７７】
ここで、図７を主として参照しながら、レーザ加工システム２０００の構成および動作についてより具体的に説明する。
【００７８】
なお、図７は、本考案にかかる実施の形態の、ペンダント１０００にレーザ加工を行うためのレーザ加工システム２０００のブロック図である。
【００７９】
レーザ加工システム２０００は、電子データ作成装置２１００と、レーザ加工装置２２００と、を備えている。
【００８０】
（ａ）電子データ作成装置２１００の構成
電子データ作成装置２１００は、デジタルカメラ２１１０と、パーソナルコンピュータ２１２０と、を有する。
【００８１】
デジタルカメラ２１１０は、写真を撮像する電子デバイスである。
【００８２】
パーソナルコンピュータ２１２０は、第一の底面部１４１０にレーザ加工するための写真、および第二の底面部１４２０にレーザ加工するための文字列などの電子データを作成するグラフィックアプリケーションなどがインストールされたコンピュータである。
【００８３】
もちろん、パーソナルコンピュータ２１２０には、素材データベース（図示省略）などを利用してコイン部１４００の材料に応じたレーザ出力およびレーザ照射時間などをレーザ加工装置２２００に設定するためのソフトドライバもインストールされている。
【００８４】
（ｂ）レーザ加工装置２２００の構成
レーザ加工装置２２００は、小型レーザ加工機２２１０を有する。
【００８５】
小型レーザ加工機２２１０は、作成された電子データを利用し、設定されたレーザ出力およびレーザ照射時間などに応じて、第一の底面部１４１０および第二の底面部１４２０をレーザ加工するためのレーザ照射デバイスである。
【００８６】
レーザ加工システム２０００を利用すれば、特別な知識をもたない一般ユーザであっても容易にペンダント１０００のレーザ加工を行うことができる。
【産業上の利用可能性】
【００８７】
本考案におけるペンダントは、着用者ごとに異なる多様なニーズにより柔軟に応じることが可能であり、たとえば装身具などとして着用するためのペンダントに有用である。
【符号の説明】
【００８８】
１０００  ペンダント
１１００  チェーン部
１１１０  チェーン本体部
１１１１  第一の連結部材
１１１１ａ  補助連結部材
１１１２  第二の連結部材
１１２１  第一の連結具
１１２１ａ  スライダ
１１２２  第二の連結具
１１２２ａ  孔
１２００  輪部
１２１０  上端部
１２２０  中間部
１２３０  下端部
１３００  リング部
１３１０  上端部
１３１１  渡り部
１３２０  中間部
１３３０  下端部
１４００  コイン部
１４１０  第一の底面部
１４２０  第二の底面部
１４３０  側面部
１４３１  小輪部
２０００  レーザ加工システム
２１００  電子データ作成装置
２１１０  デジタルカメラ
２１２０  パーソナルコンピュータ
２２００  レーザ加工装置
２２１０  小型レーザ加工機
【図２】
0003168001.tif 000003
【図３】
0003168001.tif 000004
【図４】
0003168001.tif 000005
【図５】
0003168001.tif 000006
【図７】
0003168001.tif 000007
【図１】
0003168001.tif 000008
【図６】
0003168001.tif 000009